(57)【要約】【課題】自動的に気体を充填することができる上、気体を迅速に充填することができ、使用し易いインフレータブル保護帽を提供する。【解決手段】  インフレータブル保護帽１００は、本体１０及び薬剤収容体２０を備える。本体１０は、気体を充填する少なくとも一つの閉塞された流路１１を内部に有し、流路１１内に気体が充填されていないときに扁平状となり、流路１１に気体が充満されるときに帽子状となり、ユーザの頭部に装着するために用いる装着空間１２が側面に形成されている。薬剤収容体２０は、本体１０の流路１１内に設けられ、気体を発生する化学薬剤が内部に収容される。ユーザにより薬剤収容体２０が押圧されて破裂すると、化学薬剤が化学反応を起こして気体が発生し、流路１１に気体が迅速に充満することにより、本体１０が自動的に膨張して帽子状になる。【選択図】図２
0003170225.tif 000002
【実用新案登録請求の範囲】
【請求項１】
本体及び薬剤収容体を備えるインフレータブル保護帽であって、
前記本体は、気体を充填する少なくとも一つの閉塞された流路を内部に有し、前記流路内に気体が充填されていないときに扁平状となり、前記流路に気体が充満するときに帽子状となり、ユーザの頭部に装着するために用いられる装着空間が側面に形成され、
前記薬剤収容体は、前記本体の前記流路内に設けられ、気体を発生する化学薬剤が内部に収容され、
ユーザにより前記薬剤収容体が押圧されて破裂すると、前記化学薬剤が化学反応を起こして気体が発生し、前記流路に気体が迅速に充満することにより、前記本体が自動的に膨張して帽子状になることを特徴とするインフレータブル保護帽。
【請求項２】
前記本体は、螺旋状の前記流路を内部に有することを特徴とする請求項１に記載のインフレータブル保護帽。
【請求項３】
前記本体は、同心円状に配列された複数の前記流路を有し、
前記流路は、互いに連通することを特徴とする請求項１に記載のインフレータブル保護帽。
【請求項４】
前記本体は、多方向に配列されて互いに連通した複数の前記流路を有することを特徴とする請求項１に記載のインフレータブル保護帽。
【請求項５】
前記本体上部には、前記流路と連通する開口が設けられ、
前記開口が配置された箇所には、前記開口を密封する密封部材が設けられることを特徴とする請求項１に記載のインフレータブル保護帽。
【請求項６】
前記密封部材は押さえ部材であることを特徴とする請求項５に記載のインフレータブル保護帽。
【請求項７】
前記本体には、顎紐が取付けられてあることを特徴とする請求項１に記載のインフレータブル保護帽。
【請求項８】
前記本体には、前記薬剤収容体が押圧により破裂すると警報信号を発生する警報装置が配置されてあることを特徴とする請求項１に記載のインフレータブル保護帽。
【請求項９】
前記警報装置は、警報ランプ又は警報ブザー装置であることを特徴とする請求項８に記載のインフレータブル保護帽。
【請求項１０】
前記化学薬剤は、重曹と、酸性の液体とからなることを特徴とする請求項１に記載のインフレータブル保護帽。
【考案の詳細な説明】
【技術分野】
【０００１】
本考案は、インフレータブル保護帽に関するものである。
【背景技術】
【０００２】
地震が発生した際、落下物によりユーザの頭部が負傷するのを防ぐために、インフレータブル保護帽が使用されることがある。従来のインフレータブル保護帽の本体は、内部に設けられた流路と、外側に設けられて流路と連通する吹き込み口とを有する。本体は、空気が吹き込まれていない状態のとき、扁平状であるため、折り畳んで収納するのに便利である。災害が発生した際、ユーザは、吹きこみ口から空気を吹き込んで本体を帽子状に膨らませて頭部に装着すると、頭部を保護することができる。災害は突然発生するものであるため、空気を吹き込む方式を用いる従来のインフレータブル保護帽では、空気の充填に時間がかかりすぎてユーザは往々にして装着が間に合わない上、災害が発生したときのユーザは一般にパニック状態にあるため、効果的に空気を吹き込むことができず、インフレータブル保護帽の保護効果を充分に生かせないことがあり、改善の余地があった。
【０００３】
かかる状況下において、従来から保護帽子は、多数提案されている。例えば、特開２０１１−１７０９３号公報（以下「特許文献１」という。）には、作業者の顔を保護する防災面を帽体内に収納するための収納ガイド部材が、帽体と該帽体内に取り付けられているハンモックとに固定された防災面付き保護帽が記載されている。
【０００４】
また、実用新案登録第３０９２０４６号公報（以下「特許文献２」という。）には、後頭部の内部に複数個の緩衝材を配置するような保護帽子が記載されている。
【０００５】
しかし、いずれの特許文献にも緊急時に自動的に膨張させて頭部を保護することが可能となる構成については示唆されていない。
【特許文献１】特開２０１１−１７０９３号公報
【特許文献２】実用新案登録第３０９２０４６号公報
【考案の開示】
【考案が解決しようとする課題】
【０００６】
従って、本考案の課題は、自動的に気体を充填することができる上、気体を充填する速度が早くて使用し易く、ユーザの頭部を保護する効果が高いインフレータブル保護帽を提供することにある。
【課題を解決するための手段】
【０００７】
そこで、本考案者は、前記の本考案の課題を解決するために鋭意検討を重ねた結果、本体と薬剤収容体を備え、下記の形態からなる構成をとることにより、前記課題を解決できることに着目し、かかる知見に基いて本考案に想到した。
【０００８】
上記課題を解決するために、本考案の第１の形態によれば、本体及び薬剤収容体を備えるインフレータブル保護帽であって、
前記本体は、気体を充填する少なくとも一つの閉塞された流路を内部に有し、前記流路内に気体が充填されていないときに扁平状となり、前記流路に気体が充満するときに帽子状となり、ユーザの頭部に装着するために用いられる装着空間が側面に形成され、
前記薬剤収容体は、前記本体の前記流路内に設けられ、気体を発生する化学薬剤が内部に収容され、
ユーザにより前記薬剤収容体が押圧されて破裂すると、前記化学薬剤が化学反応を起こして気体が発生し、前記流路に気体が迅速に充満することにより、前記本体が自動的に膨張して帽子状になることを特徴とするインフレータブル保護帽が提供される。
【０００９】
前記本体は、螺旋状の前記流路を内部に有することが好ましい。
【００１０】
前記本体は、同心円状に配列された複数の前記流路を有し、前記流路は、互いに連通することが好ましい。
【００１１】
前記本体は、多方向に配列されて互いに連通した複数の前記流路を有することが好ましい。
【００１２】
前記本体上部には、前記流路と連通する開口が設けられ、前記開口が配置された箇所には、前記開口を密封する密封部材が設けられることが好ましい。
【００１３】
前記密封部材は押さえ部材であることが好ましい。
【００１４】
前記本体には、顎紐が取付けられてあることが好ましい。
【００１５】
前記本体には、前記薬剤収容体が押圧して破裂すると警報信号を発生する警報装置が配置されてあることが好ましい。
【００１６】
前記警報装置は、警報ランプ又は警報ブザー装置であることが好ましい。
【００１７】
前記化学薬剤は、重曹と、酸性の液体と、からなることが好ましい。
【考案の効果】
【００１８】
本考案は、前記の通りの構成からなるものであり、緊急事態が発生したとき、ユーザーが薬剤収容体を押圧して破裂させるだけで薬剤の化学反応により気体が生成し、流路を迅速に充満し、帽子が形成されるので、使用が容易であり、優れた保護効果を奏する。
【図面の簡単な説明】
【００１９】
【図１】本考案の第１実施形態によるインフレータブル保護帽を示す平面図である。
【図２】本考案の第１実施形態によるインフレータブル保護帽を示す斜視図である。
【図３】本考案の第２実施形態によるインフレータブル保護帽を示す平面図である。
【図４】本考案の第２実施形態によるインフレータブル保護帽を示す斜視図である。
【図５】本考案の第３実施形態によるインフレータブル保護帽を示す斜視図である。
【図６】本考案の第３実施形態によるインフレータブル保護帽を示す斜視図である。
【考案を実施するための最良の形態】
【００２０】
以下、本考案の実施形態について図面に基づいて説明する。なお、これらによって本考案が限定されるものではない。
（第１実施形態）
図１及び図２を参照する。図１及び図２に示すように、本考案の第１実施形態によるインフレータブル保護帽１００は、少なくとも本体１０及び薬剤収容体２０から構成される。
【００２１】
本体１０の内部には、気体を充填するために用いる少なくとも一つの閉塞された流路１１が設けられてある。本考案の第１実施形態による流路１１は、本体１０内に螺旋状に設けられ、気体が充満すると、図２に示すように、帽子状になり、本体１０の側面には、ユーザの頭部に装着できるように装着空間１２が形成されてある。
【００２２】
薬剤収容体２０は、本体１０の流路１１内に設けられ、気体を発生する化学薬剤が内部に収容されてある。第１実施形態の化学薬剤は、重曹と、酸性の液体とからなり、重曹と酸性の液体とが混ざると二酸化炭素が発生する。
【００２３】
図１及び図２を参照する。本体１０は、使用されていないときは、流路１１内に気体が充填されておらず、図１に示すように、扁平状であるため、ユーザにとってインフレータブル保護帽１００を折り畳んで収納したり持ち運んだりするのに便利である。また、地震などの緊急事態が発生したとき、ユーザが薬剤収容体２０を押圧して破裂させるだけで、薬剤収容体２０内の化学薬剤が化学反応を起こして気体が発生し、流路１１に迅速に気体を充満させることにより、本体１０が自動的に膨張し、図２に示すように、帽子状となり、本体１０の側面に、ユーザの頭部に装着できるように装着空間１２が形成されているため、落下物からユーザの頭部を保護し、負傷することを防ぐことができる。上述の構造により、インフレータブル保護帽１００は、自動的に気体を充填することができるだけでなく、気体の充填が素早く、使用し易いため、保護効果が高い。
【００２４】
（第２実施形態）
図３及び図４を参照する。図３及び図４に示すように、本考案の第２実施形態による本体１０は、同心円状に配列された複数の流路１１を内部に有する。流路１１は互いに連通され、本体１０の上部には、流路１１と連通する開口１３が設けられる。また、開口１３が配置された箇所には、例えば、押さえ部材など、開口１３を密封するために用いる密封部材１４が配置される。これにより、インフレータブル保護帽１００は、自動的に空気を充填することができる上、インフレータブル保護帽１００を使用した後も、開口１３を介して、薬剤収容体２０を取り替えることにより、繰り返してインフレータブル保護帽１００を使用することができる。本考案の第２実施形態によるインフレータブル保護帽１００は、第１実施形態と異なるのは上述の点だけであるため、他の同じ部分についてはここでは繰り返して述べない。
【００２５】
（第３実施形態）
図５及び図６を参照する。図５及び図６に示すように、本考案の第３実施形態による本体１０は、多方向に配列された複数の流路１１が、互いに連通して配置される。また、図６に示すように、本体１０は、自動的に気体が充填された後、ユーザが本体１０を頭部に固定することができるように設けられた顎紐１５を有する。本体１０は、さらに警報装置３０を有する。この警報装置３０は、警報ランプ又は警報ブザー装置でもよく、救助隊がユーザの居場所を容易に知ることができるように、薬剤収容体２０が押圧されて破裂したときに警報信号を発生する機能を有する。本考案の第３実施形態によるインフレータブル保護帽１００は、第１実施形態と異なるのは上述の点だけであるため、他の同じ部分についてはここでは繰り返して述べない。
【００２６】
以上、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００２７】
１０  本体
１１  流路
１２  装着空間
１３  開口
１４  密封部材
１５  顎紐
２０  薬剤収容体
３０  警報装置
１００  インフレータブル保護帽
【図１】
0003170225.tif 000003
【図２】
0003170225.tif 000004
【図３】
0003170225.tif 000005
【図４】
0003170225.tif 000006
【図５】
0003170225.tif 000007
【図６】
0003170225.tif 000008